(57)【特許請求の範囲】
【請求項１】
錠ケース４内に鎌片５０を軸支し、一方、錠ケース４内にガイド手段を介して本施錠用のスライド操作片２５を上下動可能に設けた引戸錠の施錠機構に於いて、前記本施錠用スライド操作片２５は、錠ケース４の奥部の側壁４ｂの内壁面と該錠ケース４の内部に設けたガイド手段３４に案内される縦長スライド本体部２６と、この縦長スライド本体部２６に一体成形されて鎌片側へと延び、かつ閉戸時にストライクと完全掛合状態にある鎌片の後端部側の被係合部５５に対して先端部２８ａが係合する係合アーム部２８とを有し、本施錠時、前記本施錠用スライド操作片２５が上下方向へと移動すると、該本施錠用スライド操作片２５の係合アーム部２８は、その先端で前記被係合部５５を受け止めることを特徴とする引戸錠の施錠機構。
【請求項２】
請求項１に於いて、スライド操作片２５は、一端部が錠ケース４に固定したバネ取付用支軸３２に、一方、他端部はスライド操作板２５に固定したピン３３にそれぞれ巻き付けられたクリック機能を有するバネ３１を備えていることを特徴とする引戸錠の施錠機構。
【発明の詳細な説明】
【０００１】
【発明の属する分野】
本発明は、引戸錠の施錠機構に関する。
【０００２】
【従来の技術】
従来、動力変換機構の一部を有する水平トリガーが水平移動すると、鎌片がこれに連動して回転する構成は、実開昭５７−１１０２６０号に記載されている。そして、このような基本的構成を前提にし、引戸の閉戸時において、鎌片が仮施錠の状態になった時に、摘み片等の操作部材を操作し、これにより伝動部材の一部を横成するスライド操作片を移動させ、よって鎌片を本施錠にする構成が提案されている（例えば特開平８−８６１３２号に記載の第１実施例）。
【０００３】
しかしながら、上記第１実施例の本施錠機構は、構成が複雑である。すなわち、従来の実施例の本施錠機構は、錠ケース内に上下動可能に設けられた長板状スライダー（本発明のスライド操作片２５に相当）と、このスライダーの幅広下端部に設けた連結ピンに一端部が連結され、かつ、他端部に仮施錠時に鎌片の後端部と係合する係合部を有する扇形状の係止片と、この係止片を安定的に保持するために錠ケース内に取付けたバネ支持杆などから構成され、前記扇形状係止片は、錠ケースに横設軸架した枢軸に軸支されていた。
【０００４】
ところで、従来の実施例に於いても、引戸を閉じる際、引戸錠を構成する水平トリガーの先端部がストライクの受板の前面に当たると、これにより鎌片はトリガーバネのバネカに抗して後退する。鎌片はこの水平トリガーの移動に連動して係合方向へと回転送出されるが、その時、引戸の跳ね返り現象に伴い、水平トリガーが突出しないように、鎌片の先端部が掛合状態になった場合には、水平トリガー用のストッパー片（本発明の補助係止杵１５に相当）が作動するように錠ケース内に装備されている。このストッパー片は、間接的には鎌片の後退を防止する仮施錠用部材の機能を果たしているということができる。
【０００５】
しかしながら、前記ストッパー片は、錠ケースに横軸を介して軸支し、かつ、バネで常時係合方向に付勢しなければならないので、構成部品が多くなるという問題点があった。
【０００６】
【発明が解決しようとする課題】
本発明は、従来の実施例の有する問題点に鑑み、施錠機構を構成する部品点数を極力必要最低限に削減し、かつ、簡単な機構と合理的手投によってコストダウンを図ることを目的とする。また施錠用部材を合理的な形状にし、組立上の作業効率化を図ることを目的とする。その要旨は、スライド操作板のスライド本体部に鎌片を係止することができる係合アームを延設したことである。
【０００７】
【課題を解決するための手段】
本発明の引戸錠の施錠機構は、錠ケース４内に鎌片５０を軸支し、一方、錠ケース４内にガイド手段を介して本施錠用のスライド操作片２５を上下動可能に設けた引戸錠の施錠機構に於いて、前記本施錠用スライド操作片２５は、錠ケース４の奥部の側壁４ｂの内壁面と該錠ケース４の内部に設けたガイド手段３４に案内される縦長スライド本体部２６と、この縦長スライド本体部２６に一体成形されて鎌片側へと延び、かつ閉戸時にストライクと完全掛合状態にある鎌片の後端部側の被係合部５５に対して先端部２８ａが係合する係合アーム部２８とを有し、本施錠時、前記本施錠用スライド操作片２５が上下方向へと移動すると、該本施錠用スライド操作片２５の係合アーム部２８は、その先端で前記被係合部５５を受け止めることを特徴とする。
【０００８】
上記構成に於いて、スライド操作片２５は、一端部が錠ケース４に固定したバネ取付用支軸３２に、一方、他端部はスライド操作板２５に固定したピン３３にそれぞれ巻き付けられたクリック機能を有するバネ３１を備えていることを特徴とする。
【０００９】
【発明の実施の形態】
図１乃至図５により本発明の実施形態に基づく一実施例を説明する。まず発明
の実施の環境について説明する。Ｘは引戸錠で、この引戸錠Ｘは引戸１に取り付けられている。一方、Ｙは戸枠２に取り付けられたストライクで、このストライ
クＹは受板３を有する。
【００１０】
次に引戸錠Ｘを構成する部材について説明する。４は引戸１の縦框に内装された錠ケースで、該錠ケース４も引戸錠Ｘの一部を成す。５は錠ケース４の開口部側に固定されたフロントである。このフロント５は、普通一般に錠ケース４の蓋板に固定されるが、説明の便宜上細部的な事項は省略してある。この明細書では
施錠機構を構成する主要部材を中心に説明する。
【００１１】
さて、引戸錠の施錠機構と称した場合、「施錠機構」には、二つの意味合いがある。一つは鎌片に対する仮施錠の意味であり、他の一つは鎌片に対する本実施の意味である。本実施例の施錠機構は、主として後者の方であるが、仮施錠を構成する各部材についても説明する。
【００１２】
（１）仮施錠を構成する部材
まず仮施錠を構成する部材としては、錠ケース４内に摺動自在に装着された長杆状の水平トリガー７が存在する。図４で示すように、水平トリガー７は、その外側壁に、錠ケース４の左右側壁４ａに横方向に形成した水平案内部（ガイド長溝、水平長孔など）８に係合する凸係合部（小突起、突条など）９を有する。本実施例では、凸係合部９は、錠ケース４の水平長孔８にそれぞれ係合する合計４個のストッパー機能を有する小突起を採用している。したがって、水平トリガー７は、凸係合部９を介して錠ケース４に所定の範囲にて水平動自在に組込まれる。また水平トリガー７の下部側壁には、動力変換機構の一部（本実施例ではラック）１０を備えている。
【００１３】
しかして、水平トリガー７の後端部側に相当するバネ収納部１１には付勢バネ１２が組込まれ、該付勢バネ１２は、水平トリガー７の先端部７ａが常時錠ケース４から突出するように付勢している。付勢バネ１２は、引戸１の閉戸時に、水平トリガー７の先端部７ａがストライクＹの受枚３の前面に突き当たると収縮し始める。
ところで、本実施例の水平トリガー７の先端部７ａ側上壁には、後述する補助係止杆との摺接関係を考慮して坂状テーパ面１３が形成されている。
【００１４】
次に仮施錠を構成する部材（水平トリガーの進出を阻止する機能を有する部材）としては、錠ケース４内に摺動自任に装着された補助係止杆１５が存在する。この補助係止杆１５は、引戸１を閉めた際に、ストライクＹ内に入り込んだ鎌片を間接的に仮施錠（自然に戻らないように間接的に係止）する機能を有する。
【００１５】
図４で示すように、補助係止杆１５は、水平トリガー７と同様に、その外側壁に、錠ケース４の左右側壁４ａに縦方向に形成した垂直案内部（ガイド長溝、垂直長孔など）１６に係合する凸嵌合部（小突起、突条など）１７を有する。本実施例では、凸嵌合部１７は、錠ケース４の垂直長孔１６にそれぞれ係合する合計４個の小突起を採用している。したがって、補助係止杆１５は、凸嵌合部１７を介して錠ケース４に上下動自在に組込まれる。また補助係止杆１５の上端部には、バネ１８を収納するバネ支持穴１９が形成されている。さらに、補助係止杆１５の下端部１５ａには、前述した水平トリガー７の坂状テーパ面１３と摺接する傾斜面２０が形成されている。
【００１６】
しかして、補助係止杆１５の上端部側に相当するバネ支持穴１９にはバネ１８が組込まれ、該バネ１８は、図１及び図５で示すように補助係止杆１５の下端部１５ａが水平トリガー７の上壁に常時圧接するように付勢する。また補助係止杆１５の下端部１５ａと水平トリガー７の上壁は滑り対偶の関係にあるが、水平トリガー７が錠ケース４内へと後退した場合（施錠状態）には、補助係止杆１５の傾斜面２０は水平トリガー７の坂状テーパ面１３と係止可能状態に面接触する。
【００１７】
（２）本施錠を構成する部材
本施錠を構成する部材としては、錠ケース４内に上下動可能に装着されたスライド操作（施錠）板２５が存在する。図１で示すように、鎌片ロック用のスライド操作板２５は、錠ケース４の奥部（図１では右側）に縦長状に組込まれている。
【００１８】
さて、このスライド操作板２５の構成部位を大きく区分けすると、錠ケース４の奥部の側壁（後壁に相当）４ｂに沿って上下動する縦長のスライド本体部６と、このスライド本体部２６の上端部に鉤状に形成された各部材取付用頭部２７と、前記スライド本体部２６の、下端部寄りの部位から鎌片側へと枝分かれ状に延びた係合アーム部２８から成る。
【００１９】
そこで、まずこれらの各部位に関連する各部材について説明する。３１は、一端部が錠ケース４に固定したバネ取付用支軸３２及びスライド操作板２５の前記頭部２７に固定したピン３３にそれぞれ巻き付けられたメガネ状バネである。このスライド操作板用のメガネ状バネ３１は、クリック機能を有し、スライド操作板２５が上下動すると、バネ中央部の付置が左右に切り替わる。３４は錠ケース４の適宜箇所に設けられた複数個のガイドピンで、これらのガイドピン３４は上下方何に摺動するスライド操作板２５を案内する機能を有する。３５は同じく錠ケース４の適宜箇所に設けられたストッパー片で、このストッパー片３５は本施錠時において、下降して来たスライド操作板２５を所定位置に停止する。
【００２０】
次に図３を参照にし、スライド操作板２５の形状について詳しく説明する。３６は縦長のスライド本体部２６の上下にそれぞれ連設形成された複数の垂直ガイド突壁で、これらの垂直ガイド突壁３６は、錠ケース４の後壁４ｂの内壁面と摺接可能である。一方、３７は取付用頭部２７に連設形成された水平ストッパー壁で、この水平ストッパー壁３７は錠ケース４の上壁４ｃの内壁面に当接可能である。３８は頭部２７に形成された取付け孔で、この取付け孔３８には、図示しない摘みタイプの操作片が一体的に取付けられる。したがって、この取付孔３８の位置関係を考慮し、錠ケース４の一側壁４ａには、縦長状の開口６が形成されている。
【００２１】
しかして、本発耶の要部の一つである係合アーム部２８は、前述したように下端部寄りの部位から鎌片側へと枝分かれ状に延びているが、その先端部２８ａはやや手の平のように湾曲形成され、後述する鎌片の後端部に設けた被係合部に係合する。
【００２２】
（３）施錠対象の鎌片
鎌片５０は、水平トリガー７と同様に動力変換機構の一部（ピニオン）５１を備えると共に、錠ケース内に固定軸５２を介して軸支され、かつ、水平トリガー７の後退動に連動してストライクＹと掛合する方何へ回転する。鎌片５０は、ストライクＹの受板３と係合する鉤状の先端部５３や前述したスライド操作板２５の係合アーム２８に係合する幅広の後端部５４を有する。
【００２３】
しかして、本実施例では、鎌片５０の後端部５４の一側壁に、スライド操作板２５の係合アーム２８の先端部２８ａが係合する被係合部５５が突設されている。
【００２４】
上記構成において、図１は鎌片５０がストライクＹから外れた解錠状態を示す。一方、図５は鎌片５０が錠ケース４から回転突出し、かつ、該鎌片５０がスライド操作板２５によって本施錠された状態を示す。
【００２５】
（Ａ）解錠状態について
両図の対比から明らかなように、スライド操作板２５を引き上げた後に引戸１
を開放すると、引戸錠Ｘは施錠状態から開錠状態になる。この場合水平トリガー７の先端部７ａは所定位置まで突出する。
【００２６】
すなわち、図１で示すようにスライド操作板２５が上昇すると、係合を解かれた鎌片５０は、錠ケース４内へ固定紬５２を支点に後退可能になる。そこで、引戸１を開放すると、水平トリガー７は付勢バネ１２のバネ力によって前進するので、鎌片５０は動力変換機構１０、５１を介し、錠ケース４内へと後退回転する。その結果、水平トリガー７の先端部７ａは錠ケース４から突出する。
【００２７】
なお、水平トリガー７の先端部７ａが錠ケース４から突出した場合に於いて、補助係止杆１５はバネ１８のバネ力に抗して水平トリガー７の坂状テーパ面１３を登り、上段側の上壁面に至る。
【００２８】
（Ｂ）仮施錠状態から本施錠状態
前述したように図５は鎌片５０が錠ケース４から回転突出し、かつ、該鎌片５０がスライド操作板２５によって本施錠された状態を示す。
【００２９】
錠ケース４内に軸支された鎌片５０は、水平トリガー７に設けたラック１０と鎌片に設けたピニオン５１による動力変換機構を介し、水平トリガー７の水平移動に連動して進退動可能である。つまり、閉戸時、水平トリガー７はストライクＹの受板３の前面に当たり、錠ケース４内へと後退する。この場合鎌片５０の先端部５３は、動力変換機構１０，５１を介して錠ケース４から突出する。この時補助係止片１５の下端部１５ａは水平トリガー７の坂状テーパ面１３を摺動し、これに伴い、補助係止片１５はバネ１８のバネ力によって下降する。その結果、補助係止杆１５の下端部１５ａの傾斜面２０が水平トリガー７の坂状テーパ面１３に面接触状態で係合する。これがいわゆる「鎌片に対する仮施錠の状態」である。
【００３０】
そこで、鎌片５０を本施錠状態にするには、スライド操作片２５を操作する必要がある。本実施例ではスライド操作片２５が矢印で示すように下降すると、係合アーム２８もスライド本体部２６と共に下降するので、下向きテーパを有する先端部２８ａが鎌片５０の後端部５４の突起状被係合部５５に係合する。付言すると、図５で示すように、本施錠時、本施錠用スライド操作片２５が上下方向へと移動すると、該本施錠用スライド操作片２５の係合アーム部２８は、その先端で鎌片５０の被係合部５５を受け止める。したがって、鎌片５０の後退は完全に阻止される。
【００３１】
【実施例】
スライド操作板２５を所定位置にて停止させる手段は、色々と設計変更可能である。本実施例では錠ケース４にストッパー片３５を設けているが、スライド操作板２５の頭部２７に後退した水平トリガー７の上壁に当接するようなストッパー片を折り曲げ形成することが可能である。またスライド操作板２５に取付けられる取付け操作片を介してスライド操作板２５を所定位置に止めるようにしても良い。
【００３２】
本実施例では錠ケース４にストッパー片３５を設けているが、このストッパー片３５がなくても、図５で示すように後退した水平トリガー７の凸係合部９がスライド操作板２５の頭部２７を形成する切欠部の縁に当たる。またスライド操作板２５を案内するガイドピン３４を複数個設けているが、上方のガイドピン３４に代えてバネ取付け用支軸３２にガイド機能を持たせても良い。さらに、鎌片５０の後端部に設けた被係合部５５は、一側壁に形成した任意形成の突起であるが、係合切欠部であっても良い。このように細部事項は、当業者間において自由に設計変更可能である。
【００３３】
【発明の効果】
以上の説明から明らかなように、本発明にあっては、次に列挙するような作用・効果がある。
【００３４】
（１）施錠機構を構成する部品点数を極力必要最低限に削減し、また簡単な機構と合理的手投によって鎌片を本施錠することができるので、コストダウンを図ることができる。つまり、鎌片が突出した時に、スライド操作板を垂直方向へ移動させるだけで、スライド操作板の係合アームを介し、鎌片をロックすることができる。
【００３５】
（２）本施錠用部材を合理的な形状にしたので、組立上の作業効率化を図ることができる。
【００３６】
（３）その他鎌片の仮施錠を必要最低限の部品で達成することができる。
【図面の簡単な説明】
図１乃至図５は本発明の一実施例を示す各説明図。
【図１】鎌片がストライクから外れた状態の一例を示す概略説明図（解錠状態）。
【図２】主要部材の概略説明図。
【図３】主要部材の分解斜視図（鎌片とスライド操作板との関係）。
【図４】主要部材の分解斜視図（水平トリガーと補助係止杆との関係）。
【図５】本施錠状態を示す概略説明図。
【符号の説明】
Ｘ…引戸錠、Ｙ…ストライク、１…引戸、２…戸枠、３…受板、４…錠ケース、５…フロント、６…開口、８…水平案内部、１０…ラック、１２…付勢バネ、１３…坂状テーパ面、１５…補助係止杆、１５ａ…下端部、１６…垂直案内部、１８…バネ、２０…傾斜面、２５…スライド操作板、２６…スライド本体部、２７…取付用頭部、２８…係合アーム部、２８ａ…先端部、３１…スライド操作板用バネ、３４…ガイドピン、３５…ストッバー片、３６…垂直ガイド突壁体、５０…鎌片、５１…ピニオン、５２…固定軸、５３…先端部、５４…後端部、５５…被係合部。
【図１】
0004350873.tif 000002
【図２】
0004350873.tif 000003
【図３】
0004350873.tif 000004
【図４】
0004350873.tif 000005
【図５】
0004350873.tif 000006